(57)【要約】      （修正有）【課題】感染病室での免疫不全を発症した場合の居住環境で施設防御対策を施した病室システムを提供する。【解決手段】病室１と前室２の室間に、前室側扉２２及び、病室扉２３を備えた遮断室５を新設する。前室側扉２２及び、病室扉２３の扉開放時に病室１内に流入する空気を遮断室の扉で二重に遮断する。遮断室５の前室側扉２２及び、病室扉２３の開閉を電気信号に変えて、高速可変風量弁を連動させて、扉開放時は、直ちに風量を増加することで遮断気流を作り、他室からの流入空気を遮断する。この遮断気流を形成することで，病室１に一般雑菌の侵入を防いで感染症患者の多種感染を防止する。【選択図】図２
2019107425.tif 000002
【特許請求の範囲】
【請求項１】
病室に隣接する前室との間に空気遮断扉を備えた遮断室を設け、病室への空気の流れ込みを防止するシステム。
【請求項２】
請求項１、の遮断扉には、入口と出口が連動し、一方の扉開放時には即座に室内空気の排気できるシステムを備え、病室に扉開放による前室か病室への空気の流れ込みを遮断するシステム。
【請求項３】
一施設で、感染病室と無菌病治療室の二つの機能を満たすことが出来ることを特徴とする病院運用システム。
【発明の詳細な説明】
【技術分野】
【０００１】  本発明は、感染症法の規定に基づく感染病室構造と、無菌治療を必要とする感染者が入院生活を行うことができるように清浄空気の圧力管理を用途に合った値にできる病室のシステム技術に関する。
【背景技術】
【０００２】  以下、図１記載、従来の感染病室平面図より、感染症法の規定に基づく施設である、従来の感染病室システムを説明する。【０００３】  従来の感染病室は、病室１、前室２、洗面トイレ３、廊下４で構成される、感染病患者は病室１及び、洗面トイレ３のエリアで入院生活を送る。
感染病患者から出る菌等が空気中に浮遊した場合に外気へ漏れないように、病室１内及び，洗面トイレ２内は、外部に菌が排出しないように空気圧を負圧にする。また、室内空気を屋外に排出する病室吸込みダクト１２及び、トイレ吸込みダクト１５を設置して、それぞれのダクトには、高性能フィルターを内蔵している。菌はダクトの高性能フィルターで捕集しているため、室内の浮遊菌を外気に排出しない。
また、同様に病室１及び、前室２には、空気を室内に取り入れる給気ダクトを病室吹出しダクト１１，前室吹出しダクト１３を設置している、それぞれのダクトは室内に、無菌な空気を取り込むように、高性能フィルターを内蔵している。【０００４】  感染病患者の治療ため、医者や看護師の入室は、廊下４より前室２に入り、感染防止のため、前室で全身を防護する無菌防護衣に更衣して病室１に入室する。
また、入出の際は、病室の空気が外気へ漏れないように廊下側扉２１と前室側扉２２は同時タイミングに開かない構造を備えている。
故に一方の扉が開いている時は他方の扉は閉じる構造となっている。【０００５】  室内空気は感染防止のため、病室１は外気が室外に流出できないように、陰圧に保ち、病室１から前室２、及び、廊下４等の外部へ流出しないように室圧を陽圧に制御している。その室圧制御は、病室１が最も低く、次に前室２、廊下４の順に室圧が高くなるように制御している。【０００６】  一方、無菌治療用の病室は、病室１の空間が空気の清浄度合を清浄度クラス６又は清浄度クラス７（ＪＩＳ  Ｂ  ９９２０）を維持することである。
【先行技術文献】
【０００７】
【特許文献１】特開２０１６−１６９８７４  特開２０１６−１６１１５６
【発明が解決しようとする課題】
【０００８】  感染病患者が治療のため、病院に入院する場合は、その患者の感染菌に該当する感染病棟の感染病室に入院治療する。
感染病室は菌を外気に漏らさないように室内は、陰圧に隔離され、感染菌は、外部に出ないが、症例により、患者が免疫不全を併発した場合は、陰圧だけに、一般雑菌の侵入する可能性が高く、保持菌以外の菌での感染症の発症がある。
【課題を解決するための手段】
【０００９】  本発明の、図２記載より、病室１と前室２の室間に、前室側扉２２及び、病室扉２３を備えた遮断室５を新設する。前室側扉２２及び、病室扉２３の扉開放時に病室１内に流入する空気を遮断室の扉で二重に遮断する。
遮断室５の前室側扉２２及び、病室扉２３の開閉を電気信号に変えて、本発明の図３記載により、ダクト系統図の高速可変風量弁５１を連動させて、扉開放時は、直ちに風量を増加することで遮断気流を作り、他室からの流入空気を遮断する。
この遮断気流を形成することで，病室１に一般雑菌の侵入を防いで感染症患者の多種感染を防止する。
【００１０】  先行技術文献のシステムは扉の開度を検出して、室圧制御モードを停止する技術を開発されている。
本発明の技術は、扉開放時の両室間の気流を制御している。
【００１１】  本発明の、図３記載の断面気流とダクト系統図により、室圧制御の方法は、各室への空気給気量を遮断室定風量弁４１から前室定風弁４２、病室定風量弁４３で一定量に保ち、室内空気の排気量を高速可変風量弁５１から前室可変風量弁５２、病室可変風量弁５３で、遮断室用室圧センサー５４、前室用室圧センサー５５、病室用遮断センサー５６で各々の室内圧力に応じて気流を制御している。
【００１２】  前室扉２２及び、病室扉２３は開閉を電気信号で連動していて，自動開閉動作をする。扉開閉の状態確認は、出入り口に設置した扉センサー５７で信号検出する、扉が開くと扉センサー５７が信号を発し、高速可変風量弁５１を速やかに開放方向へ作動し、空気排気量を増加させる。
【００１３】  前室側扉２２、病室扉２３を開けると病室１と前室２は圧力差が無くなるため、圧力差による気流を遮断させる効果が減少する。そのため、扉センサー５７により、開信号を高速可変風量弁５１に伝達して、即座に弁を動作させて排気風量を増加させる。
これにより、前室側扉２２に遮断気流を形成し、前室２の空気を病室１への流れ込みを防止することができる。
【発明の効果】
【００１４】  従来の感染病室は、患者保菌の漏えい防止には効果があるが、感染者の治療中の免疫不全には効果が無かった。本発明により、双方の効果が得ることになる。
【００１５】  本発明のシステム使用管理を用途別に運用することで、感染室用途と、無菌病室用途と、一つの施設を二つの用途で使用することができる。
【００１６】  入院費用が高価な病院特殊施設の、一施設で二つの用途として使用することで、病院の運用効率が高くできる。
【図面の簡単な説明】
【図１】従来の病室平面図
【図２】本発明の感染病室平面図
【図３】本発明の断面気流とダクト系統図
【発明を実施するための形態】
【００１７】  感染症法の第一種、第二種病室の基準に適した病室として申請できる。
【００１８】  無菌治療の用途として、運用すること（室圧を陽圧、無菌水の供給、清浄度の管理）により使用できる。
【符号の説明】
【００１９】    １：病室
２：前室
３：洗面トイレ
４：廊下
５：遮断室
１１：病室給気ダクト
１２：病室吸込みダクト
１３：前室給気ダクト
１４：前室吸込みダクト
１５：トイレ吸込みダクト
２１：廊下側扉
２２：前室側扉
２３：病室扉
３１：給気ファン
３２：排気ファン
４１：遮断室定風量弁
４２：前室定風量弁
４３：病室定風量弁
５１：高速可変風量弁
５２：前室可変風量弁
５３：病室可変風量弁
５４：遮断室用室圧センサー
５５：前室用室圧センサー
５６：病室用室圧センサー
５７：扉センサー
【図１】
2019107425.tif 000003
【図２】
2019107425.tif 000004
【図３】
2019107425.tif 000005